(57)【特許請求の範囲】
【請求項１】
移動通信システムの端末のアップリンク電力制御方法において、
基地局のサービス領域に分散されて配置された多数個のアンテナにおいて前記基地局との通信に利用するための少なくともいずれか１つに該当する通信アンテナに対応する位置パラメーターを端末が受信する過程と、
前記位置パラメーターを適用してアップリンク電力を算出する過程を含むアップリンク電力制御方法であって、
前記位置パラメーターは前記少なくとも１つの通信アンテナで送信するチャンネル状態測定のための基準信号（ＣＳＩ−ＲＳ）と前記ＣＳＩ−ＲＳの送信電力を決定し、
前記アップリンク電力を算出する過程は、
前記ＣＳＩ−ＲＳの受信信号強度を測定する過程と、
前記ＣＳＩ−ＲＳの前記送信電力と前記ＣＳＩ−ＲＳの前記受信信号強度を比べて経路損失値を計算する過程をさらに含む
ことを特徴とする、アップリンク電力制御方法。
【請求項２】
前記算出過程は、
前記少なくとも１つの通信アンテナと前記端末の間の距離による経路損失値を補償する過程を含む
ことを特徴とする、請求項１に記載のアップリンク電力制御方法。
【請求項３】
前記位置パラメーターはＴＰＣ値を含み、
前記アップリンク電力を算出する過程は、
予め定義された式に従って前記ＴＰＣ値を解釈する過程を含む
ことを特徴とする、請求項１に記載のアップリンク電力制御方法。
【請求項４】
前記位置パラメーターは
ＲＲＣ（Ｒａｄｉｏ  Ｒｅｓｏｕｒｃｅ  Ｃｏｎｔｒｏｌ）シグナリング又はデータチャンネルを通じてダイナミックシグナリングで受信される
ことを特徴とする、請求項１に記載のアップリンク電力制御方法。
【請求項５】
前記アップリンク電力によって前記少なくとも１つの通信アンテナを通じて前記基地局へアップリンク情報を送信する過程をさらに含む
ことを特徴とする、請求項１に記載のアップリンク電力制御方法。
【請求項６】
移動通信システムの端末のアップリンク電力制御装置において、
基地局のサービス領域に分散されて配置された多数個のアンテナで前記基地局との通信に利用するための少なくともいずれか１つに該当する通信アンテナに対応する位置パラメーターを受信するためのパラメーター決定部と、
前記位置パラメーターを適用してアップリンク電力を算出するための電力制御部を含み、
前記位置パラメーターは前記少なくとも１つの通信アンテナで送信するチャンネル状態測定のための基準信号（ＣＳＩ−ＲＳ）と前記ＣＳＩ−ＲＳの送信電力を決定し、
前記電力制御部は、
前記ＣＳＩ−ＲＳの受信信号強度を測定し、前記ＣＳＩ−ＲＳの前記送信電力と前記ＣＳＩ−ＲＳの前記受信信号強度を比べて経路損失値を計算する
ことを特徴とするアップリンク電力制御装置。
【請求項７】
前記電力制御部は、
前記少なくとも１つの通信アンテナと前記端末の間の距離による経路損失値を補償する
ことを特徴とする、請求項６に記載のアップリンク電力制御装置。
【請求項８】
前記位置パラメーターはＴＰＣ値を含み、
前記電力制御部は、
予め定義された式に従って前記ＴＰＣ値を解釈する
ことを特徴とする、請求項６に記載のアップリンク電力制御装置。
【請求項９】
前記アップリンク電力によって前記少なくとも１つの通信アンテナを通じて前記基地局へアップリンク情報を送信するための電力増幅器をさらに含む
ことを特徴とする、請求項６に記載のアップリンク電力制御装置。
【請求項１０】
移動通信システムの基地局が、端末に、アップリンク電力の制御をさせる方法において、
前記基地局のサービス領域に分散されて配置された多数個のアンテナのうちで前記端末との通信に利用するための少なくともいずれか１つに該当する通信アンテナに対応する位置パラメーターを前記基地局が前記端末に送信する過程と、
前記少なくとも１つの通信アンテナを通じて前記端末に前記位置パラメーターを受信させることをトリガとして、前記端末に、前記位置パラメーターを適用して算出させたアップリンク電力で前記端末から送信させたアップリンク情報を前記基地局が受信する過程を含み、
前記基地局は前記トリガにより、
前記端末に、前記少なくとも１つの通信アンテナと前記端末の間の距離による経路損失値を補償して前記アップリンク電力を算出させ、
前記位置パラメーターは前記少なくとも１つの通信アンテナで送信されるチャンネル状態測定のための基準信号（ＣＳＩ−ＲＳ）と前記ＣＳＩ−ＲＳの送信電力を前記端末に決定させるものであり、
前記端末に、前記ＣＳＩ−ＲＳの受信信号強度を測定させて、前記ＣＳＩ−ＲＳの前記送信電力と前記ＣＳＩ−ＲＳの前記受信信号強度を比べて経路損失値を計算させる
ことを特徴とする基地局が、端末に、アップリンク電力の制御をさせる方法。
【請求項１１】
移動通信システムの基地局が、端末に、アップリンク電力の制御をさせるための装置において、
前記基地局のサービス領域に分散されて配置された多数個のアンテナと、
前記アンテナのうちで端末との通信に利用するための少なくともいずれか１つに該当する通信アンテナに対応する位置パラメーターを送信するための送信部と、
前記少なくとも１つの通信アンテナを通じて前記端末に前記位置パラメーターを受信させることをトリガとして、前記端末に、前記位置パラメーターを適用して算出させたアップリンク電力で前記端末から送信させたアップリンク情報を受信する受信部を含み、
前記装置は前記トリガにより、
前記端末に、前記少なくとも１つの通信アンテナと前記端末の間の距離による経路損失値を補償して前記アップリンク電力を算出させ、
前記位置パラメーターは前記少なくとも１つの通信アンテナで送信されるチャンネル状態測定のための基準信号（ＣＳＩ−ＲＳ）と前記ＣＳＩ−ＲＳの送信電力を前記端末に決定させるものであり、
前記端末に、前記ＣＳＩ−ＲＳの受信信号強度を測定させて、前記ＣＳＩ−ＲＳの前記送信電力と前記ＣＳＩ−ＲＳの受信電力を比べて前記経路損失値を計算させる
ことを特徴とする基地局が、端末に、アップリンク電力の制御をさせるための装置。
【発明の詳細な説明】
【技術分野】
【０００１】
本発明は複数個の基地局が存在する移動通信システムにおいてアップリンク電力制御方法及び装置に関し、特に各基地局の運用するアンテナが当該の基地局のサービス領域に分散されて配置されている分散アンテナシステム(Ｄｉｓｔｒｉｂｕｔｅｄ  Ａｎｔｅｎｎａ  Ｓｙｓｔｅｍ:ＤＡＳ)で效率的なアップリンク電力制御方法及び装置に関する。
【背景技術】
【０００２】
図１は、一般的な移動通信システムの構造を概略的に示した図面である。この時、一般的な移動通信システムが３つのセルから構成された場合を仮定して説明する。ここで、各セル内の中央に基地局が位置し、基地局の位置に基地局の送受信アンテナが配置されたことを示したものである。
【０００３】
図１を参照すれば、一般的に移動通信システムは多数個のセル１００、１１０、１２０から成り、それぞれのセル１００、１１０、１２０で中央に位置したアンテナ(またはアンテナら)（１３０）、第１端末(ＵＥ;Ｕｓｅｒ  Ｅｑｕｉｐｍｅｎｔ;１４０)及び第２端末１５０が存在する。基地局はアンテナ１３０を通じてセル１００、１１０、１２０に位置した第１端末１４０及び第２端末１５０に対して移動通信サービスを提供する。セル１００内で、すなわちアンテナ１３０を用いた基地局のサービス領域内で、第１端末１４０は、第２端末１５０と比べてアンテナ１３０までの距離が相対的に遠いから、支援されることができるデータ伝送速度が相対的に低くなる。
【０００４】
この時、図１のように移動通信システムでセル別のアンテナが当該のセルの中央に配置される形態をＣＡＳ(Ｃｅｎｔｒａｌ  Ａｎｔｅｎｎａ  Ｓｙｓｔｅｍ)と言う。ＣＡＳの場合、基地局が複数個のアンテナを含んでも、これらアンテナはセルの中央に配置されてセルのサービス領域に対する通信を行うように運用される。
【０００５】
移動通信システムでセル別のアンテナがＣＡＳの形態に配置され運用される場合、一般的に各端末は中央のアンテナまで到逹するために経験する信号の減殺程度を測定してアップリンク電力制御を行う。３ＧＰＰ(３ｒｄ  Ｇｅｎｅｒａｔｉｏｎ  Ｐａｒｔｎｅｒｓｈｉｐ  ｐｒｏｊｅｔ)のＬＴＥ(Ｌｏｎｇ  Ｔｅｒｍ  Ｅｖｏｌｕｔｉｏｎ)システムの場合、端末はアップリンクデータチャンネルであるＰＵＳＣＨ(Ｐｈｙｓｉｃａｌ  Ｕｐｌｉｎｋ  Ｓｈａｒｅｄ  Ｃｈａｎｎｅｌ)のためにイベント基盤の電力制御を行う。言えば、ＰＵＳＣＨで周期的にＴＰＣ(ｔｒａｎｓｍｉｔ  ｐｏｗｅｒ  ｃｏｎｔｒｏｌ)が送信される必要がない。この時、サーブプレームiで計算されたアップリンク電力
【０００６】
【数１】
0006006224.tif 000002
【０００７】
は以下の＜数式１＞のように表現される。
【０００８】
【数２】
0006006224.tif 000003
【０００９】
＜数式１＞において、
【００１０】
【数３】
0006006224.tif 000004
【００１１】
は端末のｐｏｗｅｒ  ｃｌａｓｓによる最大送信電力を現わす。
【００１２】
【数４】
0006006224.tif 000005
【００１３】
はサーブプレームiで割り当てられたＰＵＳＣＨ資源として、ＲＢ(ｒｅｓｏｕｒｃｅ  ｂｌｏｃｋ)の個数に表現される。そして端末のアップリンク電力は
【００１４】
【数５】
0006006224.tif 000006
【００１５】
に比例して増加する。ＰＬは端末で測定されたダウンリンクの経路損失(ｐａｔｈ-ｌｏｓｓ)を現わし、この値は基地局から端末に送信されるｃｅｌｌ−ｓｐｅｃｉｆｉｃ  ｒｅｆｅｒｅｎｃｅ  ｓｉｇｎａｌ(ＣＲＳ)の受信電力を測定した値であるｒｅｆｅｒｅｎｃｅ  ｓｉｇｎａｌ  ｒｅｃｅｉｖｅｄ  ｐｏｗｅｒ(ＲＳＲＰ)を用いて端末で計算される。スケーリング因子
【００１６】
【数６】
0006006224.tif 000007
【００１７】
はセル形象によるアップチャンネルとダウンチャンネル間のｐａｔｈ-ｌｏｓｓ不一致を考慮して上位レイヤーで決定する。
【００１８】
すなわち、ＬＴＥシステムで端末はアップリンク電力を算出するためにＣＲＳが送信されるアンテナから端末までのｐａｔｈ-ｌｏｓｓのみを補償することができる。また、
【００１９】
【数７】
0006006224.tif 000008
【００２０】
は以下の＜数式２＞のように分けて表現することができる。
【００２１】
【数８】
0006006224.tif 000009
【００２２】
＜数式２＞において、
【００２３】
【数９】
0006006224.tif 000010
【００２４】
はセルごとに異なるように決定される(ｃｅｌｌ−ｓｐｅｃｉｆｉｃ)パラメーターであり、上位レイヤーでシグナリングされる。
【００２５】
【数１０】
0006006224.tif 000011
【００２６】
は端末ごとに異なるように決定される(ＵＥ−ｓｐｅｃｉｆｉｃ)パラメーターであり、ＲＲＣ(Ｒａｄｉｏ  Ｒｅｓｏｕｒｃｅ  Ｃｏｎｔｒｏｌ)シグナリングに伝達する。ＭＣＳ(ｍｏｄｕｌａｔｉｏｎ  ａｎｄ  ｃｏｄｉｎｇ  ｓｃｈｅｍｅ)又はＴＦ(ｔｒａｎｓｐｏｒｔ  ｆｏｒｍａｔ)補償パラメーターである
【００２７】
【数１１】
0006006224.tif 000012
【００２８】
は以下の＜数式３＞のように定義されることができる。
【００２９】
【数１２】
0006006224.tif 000013
【００３０】
＜数式３＞において、ＫＳはｃｅｌｌ−ｓｐｅｃｉｆｉｃパラメーターであり、ＲＲＣシグナリング(ｓｉｇｎａｌｉｎｇ)によって与えられる。すなわち、ＫＳは周波数效率による電力補償値を決定するための指示者で定義されることができる。
【００３１】
また、
【００３２】
【数１３】
0006006224.tif 000014
【００３３】
は以下の＜数式４＞を通じて算出されることができる。
【００３４】
【数１４】
0006006224.tif 000015
【００３５】
＜数式４＞において、Ｃはサーブプレームiでｃｏｄｅ  ｂｌｏｃｋの個数を現わし、
【００３６】
【数１５】
0006006224.tif 000016
【００３７】
番目ｃｏｄｅ  ｂｌｏｃｋの大きさを現わす。そして分母部分の
【００３８】
【数１６】
0006006224.tif 000017
【００３９】
はサーブプレーム内の総ＲＥ(ｒｅｓｏｕｒｃｅ  ｅｌｅｍｅｎｔ)個数を現わす。すなわち＜数式４＞を通じて算出される
【００４０】
【数１７】
0006006224.tif 000018
【００４１】
はＲＥ当り送信される情報量(ｉｎｆｏｒｍａｔｉｏｎ  ｂｉｔｓ)を現わす。また、ＫＳ＝０である時、
【００４２】
【数１８】
0006006224.tif 000019
【００４３】
は０であり、ＭＣＳ補償は考慮されない。そして、ＫＳ＝１．２５であるの時、アップチャンネルの８０％
【００４４】
【数１９】
0006006224.tif 000020
【００４５】
だけがＭＣＳに関する補償を受ける。アップリンク電力制御瞬時適応は以下の＜数式５＞で
【００４６】
【数２０】
0006006224.tif 000021
【００４７】
として表現される。
【００４８】
【数２１】
0006006224.tif 000022
【００４９】
＜数式５＞において、
【００５０】
【数２２】
0006006224.tif 000023
【００５１】
はＵＥ−ｓｐｅｃｉｆｉｃパラメーターであり、基地局から端末に伝達するＰＤＣＣＨ(Ｐｈｙｓｉｃａｌ  Ｄｏｗｎｌｉｎｋ  Ｃｏｎｔｒｏｌ  Ｃｈａｎｎｅｌ)に含まれて、ＴＰＣ値とも知られている。
【００５２】
【数２３】
0006006224.tif 000024
【００５３】
で
【００５４】
【数２４】
0006006224.tif 000025
【００５５】
は実際
【００５６】
【数２５】
0006006224.tif 000026
【００５７】
値を受信して端末の送信サーブプレームに適用することにかかる時間差を現わす。ＰＤＣＣＨで伝達するＤＣＩ(Ｄｏｗｎｌｉｎｋ  Ｃｏｎｔｒｏｌ  Ｉｎｆｏｒｍａｔｉｏｎ)ｆｏｒｍａｔ０で
【００５８】
【数２６】
0006006224.tif 000027
【００５９】
累積値(ａｃｃｕｍｕｌａｔｅｄ  ｖａｌｕｅｓ)は[-１、０、１、３]である。そしてＰＤＣＣＨに伝達するＤＣＩ  ｆｏｒｍａｔ３／３Ａで累積値
【００６０】
【数２７】
0006006224.tif 000028
【００６１】
は  [−１、１]又は  [-１、０、１、３]である。
【００６２】
一方、上記＜数式５＞のように
【００６３】
【数２８】
0006006224.tif 000029
【００６４】
値を累積する方法の以外にも、以下＜数式６＞のように
【００６５】
【数２９】
0006006224.tif 000030
【００６６】
絶対値(ａｂｓｏｌｕｔｅ  ｖａｌｕｅｓ)が用いることがある。このような場合、ＰＤＣＣＨに伝達するＤＣＩ  ｆｏｒｍａｔ  ０で
【００６７】
【数３０】
0006006224.tif 000031
【００６８】
絶対値は  [−４、−１、１、４]である。
【００６９】
【数３１】
0006006224.tif 000032
【発明の概要】
【発明が解決しようとする課題】
【００７０】
上述したようにＬＴＥシステムのアップリンク電力制御方法はセル内のすべての端末がチャンネル推定のために用いるＣＲＳが送信されるアンテナからのｐａｔｈ-ｌｏｓｓのみを補償することができる。
【課題を解決するための手段】
【００７１】
したがって、ＣＡＳシステムを考慮して開発されたＬＴＥシステムをセル全体に分散されているアンテナを考慮するシステムに適合するように発展させるためには新しいアップリンク電力制御方法が必要である。これを通じ、アップリンク端末の間干渉及び端末のバッテリー消耗を減らすようにする。
【００７２】
上記課題を解決するための本発明による移動通信システムの端末において、アップリンク電力制御方法は、基地局のサービス領域に分散されて配置された多数個のアンテナで上記基地局と通信に利用するための少なくともいずれか１つに該当する通信アンテナに対応する位置パラメーターを端末が受信する過程と、上記位置パラメーターを適用してアップリンク電力を算出する過程を含むことを特徴とする。
【００７３】
そして上記課題を解決するための本発明による移動通信システムの端末において、アップリンク電力制御装置は、基地局のサービス領域に分散されて配置された多数個のアンテナで上記基地局と通信に利用するための少なくともいずれか１つに該当する位置パラメーターを受信するためのパラメーター決定部と、上記位置パラメーターを適用してアップリンク電力を算出するための電力制御部を含むことを特徴とする。
【００７４】
また、上記課題を解決するための本発明による移動通信システムの基地局でアップリンク電力制御方法は、上記基地局のサービス領域に分散されて配置された多数個のアンテナのうちで端末と通信に利用するための少なくともいずれか１つに該当する通信アンテナに対応する位置パラメーターを基地局が送信する過程と、上記通信アンテナを通じて上記端末で上記位置パラメーターを適用して算出されたアップリンク電力に送信されたアップリンク情報を受信する過程を含み、上記端末は上記通信アンテナと上記端末の間の距離による経路損失値を補償して上記アップリンク電力を算出することを特徴とする。
【００７５】
さらに、上記課題を解決するための本発明による移動通信システムの基地局でアップリンク電力制御装置は、上記基地局のサービス領域に分散されて配置された多数個のアンテナと、上記アンテナのうちで端末と通信に利用するための少なくともいずれか１つに該当する通信アンテナに対応する位置パラメーターを送信するための送信部と、上記通信アンテナを通じて上記端末で上記位置パラメーターを適用して算出されたアップリンク電力に送信されたアップリンク情報を受信するための受信部を含み、上記端末は上記通信アンテナと上記端末の間の距離による経路損失値を補償して上記アップリンク電力を算出することを特徴とする。
【発明の効果】
【００７６】
上述したように、本発明はＬＴＥシステムのアップリンク電力制御方法を発展させてＤＡＳシステムに適合した新しいアップリンク電力制御方法を提案することによって、分散アンテナを通じてアップリンク送信を行う端末から発生する干渉及び端末のバッテリー消耗を減らすことができる。
【図面の簡単な説明】
【００７７】
【図１】一般的な移動通信システムの構造を示した図面である。
【図２】本発明の実施形態による移動通信システムの構造を示した図面である。
【図３】本発明の実施形態による基地局の電力制御パラメーター伝達手続きを示した図面である。
【図４】本発明の実施形態による端末の電力制御技術を説明するための図面である。
【図５】本発明の実施形態による端末の概略的な構成を示した図面である。
【図６】本発明の一実施形態による端末の電力制御手続きを示した図面である。
【図７】本発明の一実施形態による端末の電力制御手続きを示した図面である。
【図８】本発明の一実施形態による端末の電力制御手続きを示した図面である。
【図９】本発明の一実施形態による端末の電力制御手続きを示した図面である。
【発明を実施するための形態】
【００７８】
以下、本発明の実施形態を添付した数式、及び図面と共に詳しく説明する。また、本発明を説明することにおいて関連される公知機能或いは構成に対する具体的な説明が本発明の要旨を不必要に濁すことができると判断された場合、その詳細な説明は省略する。そして後述される用語は本発明における機能を考慮して定義された用語として、これは使用者、運用者の意図または慣例などによって変わることができる。よって、その定義は本明細書全般にわたった内容を基礎で下ろされなければならない。
【００７９】
また、本発明の実施形態を具体的に説明することにおいて、ＯＦＤＭ基盤の無線通信システム、特に３ＧＰＰ  ＥＵＴＲＡ(Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ)(或いは、「ＬＴＥと」称する)或いはＡｄｖａｎｃｅｄ  Ｅ-ＵＴＲＡ(或いは、「ＬＴＥ−Ａ」と称する)標準を主な対象とするはずだが、本発明の主な要旨は類似の技術的背景及びチャンネル形態を有するその他の通信システムにも本発明の範囲を大きく外れない範囲で僅かな変形で適用可能であり、これは本発明の技術分野で熟練された技術的知識を有した者の判断で可能だろう。
【００８０】
ＤＡＳの場合、セルのサービス領域に基地局のアンテナがもれなく分散されて配置されることによって、基地局でＣＡＳと対比して向上した移動通信サービスを提供することができる。
【００８１】
図２は本発明の実施形態による移動通信システムの構造を示した図面である。一例で、図３の移動通信システムが３つのセルから構成されることができ、各セル内の中央に基地局が位置し、各セル内の全サービス領域に基地局のアンテナが分散されて配置されることができる。
【００８２】
図２を参照すれば、本実施形態の移動通信システムは多数個のセル２００、２１０、２２０から成り、それぞれのセル２００、２１０、２２０でセルの中央に位置した中央アンテナ２３０、セル２００、２１０、２２０でサービス領域に分散して設置された多数個の分散アンテナ２６０、２７０、２８０、２９０を含む。
【００８３】
また、セル２００は第１端末２４０及び第２端末２５０を含む。第１端末２４０及び第２端末２５０は上記中央アンテナ２３０及び分散アンテナ２６０、２７０、２８０、２９０の中でアップまたはダウンリンク送信のために選択された少なくともいずれか１つに当該する通信アンテナを通じて基地局から移動通信サービスの提供を受ける。
【００８４】
例えば、第１端末２４０は上記第1端末２４０と近くの位置の分散アンテナ２８０、２９０を通じて基地局から移動通信サービスの提供を受け、第２端末２５０は上記第２端末２５０と近くの位置の中央アンテナ２３０を通じて基地局から移動通信サービスの提供を受けることができる。
【００８５】
図１に示したように、移動通信システムがＣＡＳであれば、第１端末２４０は中央アンテナ２３０から遠く離れているから相対的にデータ送信速度が低くなる。しかし、図２に示した移動通信システムがＤＡＳを支援すると、第１端末２４０は上記第１端末２４０と近くの位置の分散アンテナ２８０、２９０を通じて比較的高い速度のデータ送信を提供受けることができるようになる。
【００８６】
一方、上記ＬＴＥシステムの電力制御方法を使用すると、端末はアップリンク電力を算出するためにＣＲＳが送信されるアンテナから端末までのｐａｔｈ-ｌｏｓｓのみを補償することができる。すなわち、ＤＡＳ内で特定の分散アンテナのみを通じてアップリンク送信を行うＬＴＥ端末は分散アンテナからのｐａｔｈ-ｌｏｓｓを正確に補償することができない。これによって、ＤＡＳで不必要な電力の浪費及びアップリンク干渉を発生させる問題がある。
【００８７】
上述したようにＬＴＥシステムのアップリンク電力制御方法はセル内のすべての端末がチャンネル推定のために用いるＣＲＳが送信されるアンテナからのｐａｔｈ-ｌｏｓｓのみを補償することができる。したがってＣＡＳシステムを考慮して開発されたＬＴＥシステムを発展させてＤＡＳシステムに適合するようにアップリンク電力を制御するためにはセル全体に分散されて配置された分散アンテナを考慮した新しい電力制御方法が必要である。すなわち、本発明は分散アンテナの一部のみを用いてアップリンク送信を行う端末でアップリンクｐａｔｈ-ｌｏｓｓを適切に補償するアップリンク電力制御方法を開発することによって、アップリンク端末の間の干渉及び端末のバッテリー消耗を減らすようにする。
【００８８】
図３は本発明の実施形態による基地局の電力制御パラメーター伝達手続きを示した図面である。
【００８９】
図３を参照すれば、３００段階で基地局は端末にＰＤＣＣＨを通じてＰＵＳＣＨ資源を割り当てて、ＰＤＣＣＨまたはＲＲＣシグナリングを通じて電力制御に必要なパラメーターを伝達する。すなわち、基地局は電力制御パラメーター別にＰＤＳＣＨ(Ｐｈｙｓｉｃａｌ  Ｄｏｗｎｌｉｎｋ  Ｓｈａｒｅｄ  Ｃｈａｎｎｅｌ)チャンネルを用いたＲＲＣシグナリングで端末に伝達するか又はＰＤＣＣＨチャンネルを用いて端末に伝達するかを決定する。この時、若し、ＰＤＣＣＨチャンネルを用いるように決定されると(例えば、
【００９０】
【数３２】
0006006224.tif 000033
【００９１】
)、基地局は電力制御パラメーターをＰＤＣＣＨチャンネルを用いて端末に伝達する。一方に、基地局がＲＲＣシグナリングを用いるように決定されると(例えば、ＫＳ)、基地局は電力制御パラメーターをＲＲＣシグナリングを用いて端末に伝達する。ここで、電力制御パラメーターは端末のアップリンク電力を制御することに利用される。
【００９２】
次に、３１０段階で基地局は端末から送信されたＳＲＳ(ｓｏｕｎｄｉｎｇ  ｒｅｆｅｒｅｎｃｅ  ｓｉｇｎａｌ)のようなアップリンク情報を用いて受信信号対干渉比(ＳＩＮＲ;
【００９３】
Ｓｉｇｎａｌ  ｔｏ  Ｉｎｔｅｒｆｅｒｅｎｃｅ  ｐｌｕｓ  Ｎｏｉｓｅ  Ｒａｔｉｏ)を測定する。以後、３２０段階で基地局は端末のアップリンク情報の受信電力と端末のアップリンク情報が隣接セルに及ぶ干渉の量を考慮して電力制御パラメーターをアップデートした後、電力制御パラメーター伝達手続きを終了する。この時、アップデートされた電力制御パラメーターは次の電力制御パラメーター伝達手続きを通じてどんなチャンネルに伝達するかが決定されて端末に送信される。
【００９４】
この時、示されなかったが、基地局は多数個のアンテナ、受信部、電力測定部、パラメーター決定部、送信部及び制御部を含む。受信部は多数個のアンテナを通じてサービス領域内の端末からアップリンク情報を受信する。電力測定部は端末別にアップリンク情報の受信電力を測定する。パラメーター決定部は端末別に受信電力による電力制御パラメーターを決定する。この時、パラメーター決定部は各端末と各端末が基地局と送受信することに利用するためのアンテナの間の距離によって経路損失値を決定し、電力制御パラメーターで決定することができる。送信部は端末別に電力制御パラメーターを送信する。制御部はアンテナを通じて既に設定された送信電力で端末でチャンネル状態測定に参照するための基準信号を送信するように制御する。
【００９５】
図４は本発明の実施形態による端末の電力制御技術を説明するための図面である。
【００９６】
図４を参照すれば、ＤＡＳを用いるセル４００内の中央に基地局の中央アンテナ４０１が配置されており、全サービス領域に基地局の分散アンテナ４１０、４２０、４３０、４４０、４５０が分散配置されている。この時、セル４００内で端末４６０は中央アンテナ４０１と分散アンテナ４１０、４２０、４３０、４４０、４５０中で少なくともいずれか１つ４１０に該当する通信アンテナを通じてアップリンク情報を基地局に送信することができる。セル４００内でＣＲＳは分散アンテナ４１０、４２０、４３０、４４０、４５０を通じて情報を取り交わすことができないＬＴＥ端末にも伝達しなければならないから、基地局は中央アンテナ４０１を通じてセル４００内の全サービス領域でＣＲＳを送信する。
【００９７】
この時、端末４６０がＬＴＥシステムの電力制御数式をそのまま用いてアップリンク電力を算出時、前述したように、中央アンテナ４０１と端末４６０の間のｐａｔｈ-ｌｏｓｓを補償するだけ、実質的に端末４６０のアップリンク情報を受信する分散アンテナ４１０と端末４６０の間のｐａｔｈ-ｌｏｓｓは考慮されない。これによって、端末４０６で分散アンテナ４１０を通じてアップリンク情報を送信することに過度な電力使用をもたらすようになる。したがって、ＬＴＥシステムでＣＡＳを考慮したＬＴＥアップリンクでの電力制御方法をそのままＤＡＳに導入されることができなく、ＤＡＳを考慮してアップリンク電力を制御する新しい方法が必要である。
【００９８】
図５は本発明の実施形態による端末の概略的な構造を説明するための図面である。
【００９９】
図５を参照すれば、本発明の実施形態による端末５０は符号語生成部５００、ＳＣ-ＦＤＭＡ(ｓｉｎｇｌｅ-ｃａｒｒｉｅｒ  ｆｒｅｑｕｅｎｃｙ-ｄｉｖｉｓｉｏｎ  ｍｕｌｔｉｐｌｅ-ａｃｃｅｓｓ)信号生成部５１０、電力増幅器(ＰＡ;Ｐｏｗｅｒ  Ａｍｐｌｉｆｉｅｒ;５２０)及び電力制御部(Ｐｏｗｅｒ  Ｃｏｎｔｒｏｌｌｅｒ;５３０)を含む。
【０１００】
符号語生成部５００は符号語を生成する。ＳＣ-ＦＤＭＡ信号生成部５１０は生成された符号語に離散フーリエ変換(ＤＦＴ:ｄｉｓｃｒｅｔｅ  Ｆｏｕｒｉｅｒ  ｔｒａｎｓｆｏｒｍ)を行った後、逆変換(ＩＤＦＴ:ｉｎｖｅｒｓｅ  ＤＦＴ)を行ってＳＣ-ＦＤＭＡ信号に変える。電力増幅器５２０は電力制御部５３０で指示する電力を設定して符号語を送信アンテナを通じて基地局に送信する。電力制御部５３０は基地局から送信受けた電力制御パラメーターとＰＵＳＣＨスケジューリング情報を考慮して電力増幅器５２０で用いるアップリンク電力を設定するように制御する。この時、電力制御部５３０はアップリンク電力を算出するための電力制御パラメーターを決定するためのパラメーター決定部を備える。
【０１０１】
すなわち、電力制御部５３０でパラメーター決定部は基地局のサービス領域に分散されて配置された多数個のアンテナで基地局と通信に利用するための少なくともいずれか１つに該当する通信アンテナに対応する位置パラメーターを受信する。そしてパラメーター決定部は位置パラメーターによって通信アンテナと端末５０の間の経路損失値を決定する。
【０１０２】
位置パラメーターは通信アンテナで送信するＣＳＩ−ＲＳ(Ｃｈａｎｎｅｌ  Ｓｔａｔｉｏｎ  Ｉｎｆｏｒｍａｔｉｏｎ  Ｒｅｆｅｒｅｎｃｅ  Ｓｉｇｎａｌ)とＣＳＩ−ＲＳの送信電力を決定することができ、パラメーター決定部はＣＳＩ−ＲＳの受信電力を測定し、ＣＳＩ−ＲＳの送信電力と受信電力を比べて経路損失値を計算することができる。或いは位置パラメーターは瞬時適応値であることができ、パラメーター決定部は瞬時適応値を予め設定された値によって解釈することができる。
【０１０３】
そして電力制御部５３０は経路損失値を補償してアップリンク電力を算出する。この時、通信アンテナがサービス領域で中央アンテナであれば、電力制御部５３０は予め設定された第１瞬時適応値を適用してアップリンク電力を算出することができる。しかし、通信アンテナがサービス領域で分散アンテナであれば、電力制御部５３０は第1瞬時適応値と相違するように設定された第２瞬時適応値を適用してアップリンク電力を算出することができる。また、電力制御部５３０は電力増幅器５２０にアップリンク電力を設定する。これを通じて、電力増幅器５２０はアップリンク電力によって通信アンテナを通じて基地局にアップリンク情報を送信する。
【０１０４】
図６は本発明の一実施形態による端末５０の電力制御手続きを示した図面である。
【０１０５】
図６を参照すれば、本実施形態は、６００段階で端末５０が基地局から端末５０の電力制御に必要な電力制御パラメーターを受信することから出発する。ここで上記電力制御パラメーターを定義するためにはＤＡＳのための電力制御数式を定義する必要がある。ＤＡＳのための電力制御数式は、サービス領域に分散されて配置された多数個のアンテナで少なくともいずれか１つの分散アンテナのみを用いて基地局と情報を取り交わす端末５０に対して分散アンテナと端末５０の間ｐａｔｈ-ｌｏｓｓを適切に補償するように定義されなければならない。例えば、ＤＡＳのための電力制御数式を以下の＜数式７＞のように定義することができる。
【０１０６】
【数３３】
0006006224.tif 000034
【０１０７】
＜数式７＞から
【０１０８】
【数３４】
0006006224.tif 000035
【０１０９】
は上記＜数式1＞のように定義されて基地局から同じ方法で伝達受ける。そして
【０１１０】
【数３５】
0006006224.tif 000036
【０１１１】
は上記＜数式１＞の
【０１１２】
【数３６】
0006006224.tif 000037
【０１１３】
のような値であり、中央アンテナと端末５０の間のｐａｔｈ-ｌｏｓｓを現わす。このような
【０１１４】
【数３７】
0006006224.tif 000038
【０１１５】
はセル内の中央アンテナから送信されるＣＲＳの受信電力を測定して計算される。
【０１１６】
【数３８】
0006006224.tif 000039
【０１１７】
はＤＡＳのために新しく導入したパラメーターとして、このような
【０１１８】
【数３９】
0006006224.tif 000040
【０１１９】
は基地局で端末５０と通信に使用している分散アンテナと端末５０の間の距離を考慮して決定され、ＲＲＣシグナリングで端末５０に伝達する。より具体的に、
【０１２０】
【数４０】
0006006224.tif 000041
【０１２１】
は中央の基地局が予め分かっている分散アンテナの位置情報を用いて決定することによって端末が用いる分散アンテナに対する情報と共に端末に伝達することができる。または
【０１２２】
【数４１】
0006006224.tif 000042
【０１２３】
は中央の基地局がＳＲＳを用いて分散アンテナと端末５０の間のｐａｔｈ-ｌｏｓｓを決定した後、端末５０に伝達することもできる。
【０１２４】
端末５０は６１０段階で分散アンテナを用いて基地局と情報を取り交わすのか中央アンテナを用いて基地局と情報を取り交わすかどうかを決定する。この時、端末５０は
【０１２５】
【数４２】
0006006224.tif 000043
【０１２６】
値の受信するか否かによって分散アンテナを使用するか否かを決定することができる。すなわち、基地局で
【０１２７】
【数４３】
0006006224.tif 000044
【０１２８】
値が受信されると、端末５０は分散アンテナを用いて基地局と情報を取り交わすことで決定することができる。一方、基地局で
【０１２９】
【数４４】
0006006224.tif 000045
【０１３０】
値が受信されないと、端末５０は分散アンテナを用いて基地局と情報を取り交わさないことで決定することができる。
【０１３１】
もし、６１０段階で端末５０が分散アンテナを用いて基地局と情報を取り交わすと判断されると、端末５０は６２０段階で上記＜数式７＞の
【０１３２】
【数４５】
0006006224.tif 000046
【０１３３】
値を設定する。そして端末５０は６３０段階で残りパラメーターを設定した後、上記＜数式7＞によってアップリンク電力を計算してＰＵＳＣＨを送信する。
【０１３４】
もし、６１０段階で端末５０が中央アンテナを通じて基地局と情報を取り交わすと判断されると、端末５０は６２１段階で
【０１３５】
【数４６】
0006006224.tif 000047
【０１３６】
値を使用しない上記＜数式１＞を用いてアップリンク電力を設定した後、ＰＵＳＣＨを送信する。この時、端末５０は６２１段階で
【０１３７】
【数４７】
0006006224.tif 000048
【０１３８】
で設定した後、上記＜数式７＞を用いてアップリンク電力を設定した後、ＰＵＳＣＨを送信することもできる。
【０１３９】
基地局は図３を参考して説明されたように６００段階で端末に電力制御パラメーターを送信し、基地局と端末５０の通信のために分散アンテナを用いる場合、電力制御パラメーターは＜数式７＞でアップリンク送信電力の計算のために使用される。
【０１４０】
図７は本発明の他の実施形態による端末５０の電力制御手続きを示した図面である。この時、前述した図６の方法で端末５０はＲＲＣシグナリングを用いて端末５０から分散アンテナへのアップリンクｐａｔｈ-ｌｏｓｓを補償するための電力制御パラメーター、すなわち
【０１４１】
【数４８】
0006006224.tif 000049
【０１４２】
を伝達受けることに比べ、本願の図7で端末５０はダウンリンク制御チャンネルであるＰＤＣＣＨを通じるダイナミックシグナリングを用いてｐａｔｈ-ｌｏｓｓを補償するための電力制御パラメーターを伝達受けることができる。
【０１４３】
図７を参照すれば、７００段階で端末５０がＲＲＣシグナリングやＰＤＣＣＨを通じて電力制御パラメーターを伝達受ける。この時、分散アンテナと端末５０の間のｐａｔｈ-ｌｏｓｓを補償するための電力制御パリメーターはＰＤＣＣＨを通じるダイナミックシグナリングを用いて基地局で端末５０に伝達する。したがって、ＤＡＳのための電力制御数式を以下の＜数式８＞のように定義することができる。
【０１４４】
【数４９】
0006006224.tif 000050
【０１４５】
＜数式８＞から
【０１４６】
【数５０】
0006006224.tif 000051
【０１４７】
は上記＜数式１＞のように定義されて基地局から同じ方法に伝達受ける。そして、
【０１４８】
【数５１】
0006006224.tif 000052
【０１４９】
は上記＜数式１＞の
【０１５０】
【数５２】
0006006224.tif 000053
【０１５１】
のような値であり、中央アンテナと端末の間のｐａｔｈ-ｌｏｓｓを現わす。このような
【０１５２】
【数５３】
0006006224.tif 000054
【０１５３】
はセル内の中央アンテナから送信されるＣＲＳの受信電力を測定して計算される。
【０１５４】
【数５４】
0006006224.tif 000055
【０１５５】
はＤＡＳのために新しく導入したパラメーターとして、
【０１５６】
【数５５】
0006006224.tif 000056
【０１５７】
は基地局で端末５０と通信に用いている分散アンテナと端末５０の間の距離を考慮してＰＤＣＣＨを通じるダイナミックシグナリングで端末５０に伝達する。
【０１５８】
【数５６】
0006006224.tif 000057
【０１５９】
は中央の基地局がＳＲＳを用いて分散アンテナと端末５０の間のｐａｔｈ-ｌｏｓｓを決定した後、端末５０に伝達することができる。
【０１６０】
この時、ＰＤＣＣＨ内において
【０１６１】
【数５７】
0006006224.tif 000058
【０１６２】
のために追加で必要なビットはＤＡＳを支援するためにＬＴＥシステム又はＬＴＥ−Ａ(ＬＴＥ−Ａｄｖａｎｃｅｄ)システムに対して追加で導入することもでき、或いはＬＴＥシステムまたはＬＴＥ−Ａシステムのアップリンクグラント(ｇｒａｎｔ)に含まれたビットを再使用することもできる。例えば、ＬＴＥシステムのアップリンクグラント内の周波数跳躍のためのビット又はパディング(ｐａｄｄｉｎｇ)ビットを端末５０が分散アンテナを用いることができる場合に
【０１６３】
【数５８】
0006006224.tif 000059
【０１６４】
のためのビットで再使用することもできる。上記＜数式８＞で新しく定義された
【０１６５】
【数５９】
0006006224.tif 000060
【０１６６】
は２ビットから構成されたＴＰＣ値の
【０１６７】
【数６０】
0006006224.tif 000061
【０１６８】
に含まれて分散アンテナを用いることができる端末５０の場合には２ビット以上に構成された
【０１６９】
【数６１】
0006006224.tif 000062
【０１７０】
を用いるように表現されることもできる。
【０１７１】
端末５０は７１０段階で分散アンテナを用いて基地局と情報を取り交わすのか中央アンテナを用いて基地局と情報を取り交わすかどうかを決定する。もし、７１０段階で端末５０が分散アンテナを用いて基地局と情報を取り交わすと判断されると、端末５０は７２０段階で上記＜数式８＞の
【０１７２】
【数６２】
0006006224.tif 000063
【０１７３】
値を設定する。そして端末５０は７３０段階で残りパラメーターを設定した後、上記＜数式8＞によってアップリンク電力を計算してＰＵＳＣＨを送信する。
【０１７４】
もし、７１０段階で端末５０が中央アンテナを通じて基地局と情報を取り交わすと判断されると、端末５０は７２１段階で
【０１７５】
【数６３】
0006006224.tif 000064
【０１７６】
値を使用しない上記＜数式１＞を用いてアップリンク電力を設定した後、ＰＵＳＣＨを送信する。この時、端末５０は７２１段階で
【０１７７】
【数６４】
0006006224.tif 000065
【０１７８】
で設定した後、上記＜数式８＞を用いてアップリンク電力を設定した後、ＰＵＳＣＨを送信することもできる。
【０１７９】
同時に、上記言及したように
【０１８０】
【数６５】
0006006224.tif 000066
【０１８１】
は２ビット以上の
【０１８２】
【数６６】
0006006224.tif 000067
【０１８３】
で表現されることができる。この場合に、７２０段階がＬＴＥシステムに対してＤＡＳでの電力制御のために追加されたビットを確認する段階に変更されることができる。
【０１８４】
基地局は図３を参考して説明されたように７００段階で端末に電力制御パラメーターを送信し、基地局と端末５０の通信のために分散アンテナを用いる場合、電力制御パラメーターは＜数式８＞でアップリンク送信電力の計算のために使用される。
【０１８５】
図８は本発明の一実施形態による端末５０の電力制御方法の手続きを示した図面である。図８に示した本方法は端末５０はダウンリンク制御チャンネルであるＰＤＣＣＨを通じるダイナミックシグナリングを用いてｐａｔｈ-ｌｏｓｓを補償するようとするという点で前述した図７に示した方法と類似である。ただ、図８に示した方法でｐａｔｈ-ｌｏｓｓ補償のために新しいビットを追加しなく分散アンテナを用いる場合にだけ上記＜数式１＞のＴＰＣ部分を異なるように解釈するようにする。
【０１８６】
図８を参照すれば、本実施形態は、８００段階で端末５０がＲＲＣシグナリングやＰＤＣＣＨを通じて電力制御パラメーターを伝達受けることから出発する。この後、端末５０は８１０段階で分散アンテナを用いて基地局と情報を取り交わすのか中央アンテナを用いて基地局と情報を取り交わすかどうかを決定する。もし、８１０段階で端末５０が分散アンテナを用いて基地局と情報を取り交わすと判断されると、端末５０は８２０段階で上記＜数式１＞に定義された
【０１８７】
【数６７】
0006006224.tif 000068
【０１８８】
を分散アンテナを用いる状況に合うようにＴＰＣビットを解釈する。もし、８１０段階で端末５０が中央アンテナを通じて基地局と情報を取り交わすと判断されると、端末５０は８２１段階でＴＰＣビットをＬＴＥで定義されたように解釈する。そして、端末５０は８３０段階で上記＜数式１＞を用いてアップリンク電力を設定した後、ＰＵＳＣＨを送信する。
【０１８９】
この時、前述したＬＴＥシステムでＰＤＣＣＨに伝達されるＤＣＩ  ｆｏｒｍａｔ  ０でＴＰＣビットによる累積値は[-１、０、１、３]であり、ＰＤＣＣＨに伝達するＤＣＩ  ｆｏｒｍａｔ  ３/３ＡでＴＰＣビットによる累積値は[-１、１]又は[-１、０、１、３]である。又は、ＰＤＣＣＨに伝達するＤＣＩ  ｆｏｒｍａｔ  ０でＴＰＣビットによる絶対値は[-４、-１、１、４]である。ところが、分散アンテナを用いて基地局と情報を取り交わす場合、端末５０は中央アンテナを用いて基地局と情報を取り交わす場合に比べて少ないアップリンク電力を用いる。これによって、分散アンテナを用いて基地局と情報を取り交わす場合、端末５０でＴＰＣビットの解釈はＬＴＥシステムと異なるようにより大きい負数の値を持つように新しく定義されることができる。
【０１９０】
基地局は図３を参考して説明されたように８００段階で端末に電力制御パリメーターを送信し、基地局と端末５０の通信のために分散アンテナを用いる場合、電力制御パラメーターは＜数式８＞でアップリンク送信電力の計算のために使用される。
【０１９１】
図９は本発明の一実施形態による端末５０の電力制御手続きを示した図面である。図６乃至図８で説明した方法とは異なり、図９で示した方法で端末５０が分散アンテナと端末５０の間のｐａｔｈ-ｌｏｓｓを決定してアップリンク電力を算出するための新しい電力制御数式を定義する。
【０１９２】
図９を参照すれば、本実施形態は、９００段階で端末５０がＲＲＣシグナリングやＰＤＣＣＨを通じて電力制御パラメーターを伝達受けることから出発する。ここで上記電力制御パラメーターを定義するためにはＤＡＳのための新しい電力制御数式を定義する必要がある。本実施形態でＤＡＳのための電力制御数式は、サービス領域に分散されて配置されたアンテナで少なくともいずれか１つの分散アンテナのみを用いて基地局と情報を取り交わす端末５０に対してチャンネル状態情報測定のための基準信号(ＣＳＩ−ＲＳ;ｃｈａｎｎｅｌ-ｓｔａｔｅ-ｉｎｆｏｒｍａｔｉｏｎ  ｒｅｆｅｒｅｎｃｅ-ｓｉｇｎａｌ)の受信電力を測定してｐａｔｈ-ｌｏｓｓを補償するように定義されなければならない。ＤＡＳのための電力制御数式は以下の＜数式９＞のように定義することができる。
【０１９３】
【数６８】
0006006224.tif 000069
【０１９４】
＜数式９＞から
【０１９５】
【数６９】
0006006224.tif 000070
【０１９６】
は上記＜数式１＞のように定義されて基地局から同じ方法で伝達受ける。一方、
【０１９７】
【数７０】
0006006224.tif 000071
【０１９８】
はＤＡＳのために新しく導入したパラメーターとして、端末５０で分散アンテナを通じて送信されるＣＳＩ−ＲＳの受信電力を測定して計算される。すなわち、端末５０が
【０１９９】
【数７１】
0006006224.tif 000072
【０２００】
を計算するためには基地局が端末５０が用いる分散アンテナを決定し、これを知らせるための信号を送信する状況で、上記使用する分散アンテナを通じて送信されるＣＳＩ−ＲＳの送信電力を端末５０が分かるようにこのため信号を共に送信する必要がある。すなわち、基地局は端末５０が用いた分散アンテナを端末５０に直接知らせなく、分散アンテナから送信するＣＳＩ−ＲＳとＣＳＩ−ＲＳの送信電力を端末５０に知らせる。端末５０はＣＳＩ−ＲＳの送信電力と端末５０が測定したＣＳＩ−ＲＳの受信電力の差を利用すると、
【０２０１】
【数７２】
0006006224.tif 000073
【０２０２】
を計算することができ、これを用いて分散アンテナと端末５０の間のｐａｔｈ-ｌｏｓｓを決定してアップリンク電力を補償することができる。
【０２０３】
端末５０は９１０段階で分散アンテナを用いて基地局と情報を取り交わすのか中央アンテナを用いて基地局と情報を取り交わすかどうかを決める。もし、９１０段階で端末５０が分散アンテナを用いて基地局と情報を取り交わすと判断されると、端末５０は９２０段階で分散アンテナを通じたＣＳＩ−ＲＳの受信電力を測定して基地局から受けたＣＳＩ−ＲＳの送信電力との差を用いて
【０２０４】
【数７３】
0006006224.tif 000074
【０２０５】
を計算する。そして端末５０は９３０段階で残りパラメーターを設定した後、上記＜数式９＞によってアップリンク電力を計算してＰＵＳＣＨを送信する。
【０２０６】
もし、９１０段階で端末５０が中央アンテナを通じて基地局と情報を取り交わすと判断されると、端末５０は９２１段階で上記＜数式１＞を用いてアップリンク電力を設定した後、ＰＵＳＣＨを送信する。
【０２０７】
基地局は図３を参考して説明したように９００段階で端末に電力制御パラメーターを送信し、基地局と端末５０の通信のために分散アンテナに用いる場合、電力制御パラメーターは＜数式９＞でアップリンク送信電力の計算のために使用される。
【０２０８】
本発明によれば、ＬＴＥシステムのアップリンク電力制御方法を発展させてＤＡＳシステムに適合した新しいアップリンク電力制御方法を提案することによって、分散アンテナを通じてアップリンク送信を行う端末から発生する干渉及び端末のバッテリー消耗を減らすことができる。
【０２０９】
以上では本明細書と図面に開示された本発明の実施形態は本発明の記述内容を容易に説明し、本発明の理解を助けるために特定例を提示したものであるだけ、本発明の範囲を限定しようとするものではない。ここで開示された実施形態の以外にも本発明の技術的思想に基づいた他の変形例が実施可能であるということは本発明が属する技術分野で通常の知識を有する者に自明なものである。
【符号の説明】
【０２１０】
１００、１１０、１２０  セル
１３０  アンテナ
１４０  第１端末
１５０  第２端末
２００、２１０、２２０  セル
２３０  中央アンテナ
２４０  第１端末
２５０  第２端末
２６０、２７０、２８０、２９０  分散アンテナ
５０  端末
５００  符号語生成部
５１０  信号生成部
５２０  電力増幅器
５３０  電力制御部
【図１】
0006006224.tif 000075
【図２】
0006006224.tif 000076
【図３】
0006006224.tif 000077
【図４】
0006006224.tif 000078
【図５】
0006006224.tif 000079
【図６】
0006006224.tif 000080
【図７】
0006006224.tif 000081
【図８】
0006006224.tif 000082
【図９】
0006006224.tif 000083